(57)【要約】【課題】様々な寸法を有する複数の筐体を積み重ねたり左右に配列したりすることができる収納箱を提供する。【解決手段】収納箱１０は、底板１１及び環状壁１２を備える。環状壁１２は、底板１１の頂面に突出成形されて底板１１の周縁を取り囲む。環状壁１２の先端縁には、少なくとも１つの切欠溝群が凹設される。切欠溝群は、２つの切欠溝１２１を含む。各切欠溝１２１は、環状壁１２の内壁面及び外壁面まで延びる。２つの切欠溝１２１の延伸方向は、互いに平行である。底板１１及び環状壁１２は長方形である。環状壁１２は、２つの切欠溝群を有する。切欠溝群は、環状壁１２の対向する両側にそれぞれ位置する。一方の切欠溝群の２つの切欠溝１２１と、他方の切欠溝群の２つの切欠溝１２１とは同じ延長線上に位置する。収納箱１０は、底板１１の頂面に突出成形され、環状壁１２内に間隔をおいて形成された複数のリブ１４をさらに備える。【選択図】図１
0003208800.tif 000002
【実用新案登録請求の範囲】
【請求項１】
底板及び環状壁を備えた収納箱であって、
前記環状壁は、前記底板の頂面に突出成形されて前記底板の周縁を取り囲み、前記環状壁の先端縁には、少なくとも１つの切欠溝群が凹設され、前記切欠溝群は、２つの切欠溝を含み、各前記切欠溝は、前記環状壁の内壁面及び外壁面まで延び、前記２つの切欠溝の延伸方向は、互いに平行であることを特徴とする収納箱。
【請求項２】
前記底板及び前記環状壁は矩形であることを特徴とする請求項１に記載の収納箱。
【請求項３】
前記底板及び前記環状壁は長方形であることを特徴とする請求項２に記載の収納箱。
【請求項４】
前記環状壁は、２つの切欠溝群を有し、
前記切欠溝群は、前記環状壁の対向する両側にそれぞれ位置し、
一方の前記切欠溝群の前記２つの切欠溝と、他方の前記切欠溝群の前記２つの切欠溝とは同じ延長線上に位置することを特徴とする請求項１に記載の収納箱。
【請求項５】
前記環状壁は、２つの切欠溝群を有し、
前記切欠溝群は、矩形状の前記環状壁の対向する２つの側辺にそれぞれ位置し、
前記切欠溝群の前記２つの切欠溝は、前記矩形状の前記環状壁の残部の対向する２つの側辺にそれぞれ隣接し、
一方の前記切欠溝群の前記２つの切欠溝と、他方の前記切欠溝群の前記２つの切欠溝とは同じ延長線上に位置することを特徴とする請求項２に記載の収納箱。
【請求項６】
前記環状壁は、２つの切欠溝群を有し、
前記切欠溝群は、矩形状の前記環状壁の２つの長側辺にそれぞれ位置し、
前記切欠溝群の前記２つの切欠溝は、前記矩形状の前記環状壁の２つの短側辺にそれぞれ隣接し、
一方の前記切欠溝群の前記２つの切欠溝と、他方の前記切欠溝群の前記２つの切欠溝とは同じ延長線上に位置することを特徴とする請求項３に記載の収納箱。
【請求項７】
前記底板の底面に突出成形され、環状に延びる環状凸縁をさらに備え、
前記環状凸縁の環状に延びる形状は、前記底板の形状に対応し、
前記環状凸縁の外径は、前記環状壁の内径に等しいことを特徴とする請求項１〜６の何れか１項に記載の収納箱。
【請求項８】
前記底板の頂面に突出成形され、前記環状壁内に間隔をおいて形成された複数のリブをさらに備えることを特徴とする請求項１〜６の何れか１項に記載の収納箱。
【請求項９】
前記リブの断面は半円形であることを特徴とする請求項８に記載の収納箱。
【考案の詳細な説明】
【技術分野】
【０００１】
本考案は、物体を収納する筐体に関し、特に、様々な寸法を有する複数の筐体を積み重ねたり左右に配列したりすることができる収納箱に関する。
【背景技術】
【０００２】
筐体の主な使用目的は物体を収納することにあり、物体の種類及び数が増えるに伴い、筐体の個数も増えた。物体を筐体に収納した後、筐体を複数積み重ねると、物体が収納された複数の筐体を同時に持って移動させることができる。複数の筐体は、上下に係合させて固定させることができるが、持って移動するときに滑り落ちることを防ぐことができる。しかし、積み重ねる筐体の形状及び寸法は完全に同じでなければ上下の筐体を係合させて固定させることはできなかった。実際に使用する際、物体の種類及び寸法に応じて異なる形状及び寸法の筐体を選択して収納しなければならず、異なる形状及び寸法を有する複数の筐体を互いに対応するように上下で積み重ねて固定することはできず、複数の筐体を同時に持って移動させることもできない上、複数の異なる形状及び寸法を有する筐体を積み重ねて固定する際、左右に配列して強固に固定することはできなかった。そのため、従来の筐体には改良が求められていた。
【考案の概要】
【考案が解決しようとする課題】
【０００３】
本考案の目的は、上述したような従来技術の欠点及び不足に鑑み、上下に積み重ねたり異なる寸法を有する矩形筐体を左右に配列したりする方式により、複数の異なる寸法を有する矩形筐体を積み重ねたり左右に配列したりすることができる収納箱を提供することにある。
【課題を解決するための手段】
【０００４】
上記課題を解決するために、本考案の第１の形態によれば、底板及び環状壁を備えた収納箱であって、前記環状壁は、前記底板の頂面に突出成形されて前記底板の周縁を取り囲み、前記環状壁の先端縁には、少なくとも１つの切欠溝群が凹設され、前記切欠溝群は、２つの切欠溝を含み、各前記切欠溝は、前記環状壁の内壁面及び外壁面まで延び、前記２つの切欠溝の延伸方向は、互いに平行であることを特徴とする収納箱が提供される。
【０００５】
前記底板及び前記環状壁は矩形であることが好ましい。
【０００６】
前記底板及び前記環状壁は長方形であることが好ましい。
【０００７】
前記環状壁は、２つの切欠溝群を有し、前記切欠溝群は、前記環状壁の対向する両側にそれぞれ位置し、一方の前記切欠溝群の前記２つの切欠溝と、他方の前記切欠溝群の前記２つの切欠溝とは同じ延長線上に位置することが好ましい。
【０００８】
前記環状壁は、２つの切欠溝群を有し、前記切欠溝群は、矩形状の前記環状壁の対向する２つの側辺にそれぞれ位置し、前記切欠溝群の前記２つの切欠溝は、前記矩形状の前記環状壁の残部の対向する２つの側辺にそれぞれ隣接し、一方の前記切欠溝群の前記２つの切欠溝と、他方の前記切欠溝群の前記２つの切欠溝とは同じ延長線上に位置することが好ましい。
【０００９】
前記環状壁は、２つの切欠溝群を有し、前記切欠溝群は、矩形状の前記環状壁の２つの長側辺にそれぞれ位置し、前記切欠溝群の前記２つの切欠溝は、前記矩形状の前記環状壁の２つの短側辺にそれぞれ隣接し、一方の前記切欠溝群の前記２つの切欠溝と、他方の前記切欠溝群の前記２つの切欠溝とは同じ延長線上に位置することが好ましい。
【００１０】
前記底板の底面に突出成形され、環状に延びる環状凸縁をさらに備え、前記環状凸縁の環状に延びる形状は、前記底板の形状に対応し、前記環状凸縁の外径は、前記環状壁の内径に等しいことが好ましい。
【００１１】
前記底板の頂面に突出成形され、前記環状壁内に間隔をおいて形成された複数のリブをさらに備えることが好ましい。
【００１２】
前記リブの断面は半円形であることが好ましい。
【考案の効果】
【００１３】
本考案の収納箱は、底面に環状凸縁を有する一般の筐体を本考案の収納箱上に積み重ねる際、上方の筐体の底面が本考案内の物体に触れることを環状壁により防ぎ、本考案の切欠溝群の２つの切欠溝が、上方の筐体底面に設けられた環状凸縁が有する２つの平行部上にそれぞれ係合されるため、上方の筐体と強固に結合され、上方の箱体が滑落することを防ぐことができる。また、本考案は複数の筐体が積み重ね易く、積み重ねた筐体を室内又は室外で持って移動させる際、その構造により筐体が滑落することを防ぎ、異なる空間環境下でも携帯し易く、作業効率が高まる上、複数の筐体を所望の箇所に設置した後でも積み重ねた状態を保持することができるため、使用空間が小さい。また、本考案は切欠溝群の２つの切欠溝を利用し、異なる寸法を有する矩形筐体を互いに上下に積み重ねたり左右に配列したりすることができるため、融通性が高くて多種多様な形態にすることができる長所を有し、異なる寸法を有する複数の矩形筐体を積み重ねたり左右に配列したりすることができる。
【図面の簡単な説明】
【００１４】
【図１】図１は、本考案の一実施形態に係る収納箱を示す上面斜視図である。
【図２】図２は、本考案の一実施形態に係る収納箱を示す底面斜視図である。
【図３】図３は、本考案の一実施形態に係る収納箱を示す平面図である。
【図４】図４は、本考案の一実施形態に係る収納箱を別の筐体下に積み重ねた状態を示す上面斜視図である。
【図５】図５は、本考案の一実施形態に係る収納箱を別の筐体下に積み重ねた状態を示す側面図である。
【図６】図６は、本考案の一実施形態に係る収納箱を別の筐体下に積み重ねた状態を示す底面斜視図である。
【図７】図７は、本考案の一実施形態に係る収納箱を別の筐体上に積み重ねた状態を示す上面斜視図である。
【図８】図８は、本考案の一実施形態に係る収納箱を別の筐体上に積み重ねた状態を示す側面図である。
【図９】図９は、本考案の一実施形態に係る収納箱を別の筐体上に積み重ねた状態を示す正面断面図である。
【考案を実施するための形態】
【００１５】
以下、本考案の実施形態について図に基づいて説明する。なお、これによって本考案が限定されるものではない。
【００１６】
図１及び図２を参照する。図１及び図２に示すように、本考案の一実施形態に係る収納箱１０は、少なくとも底板１１と、環状壁１２と、環状凸縁１３と、複数のリブ１４とから構成されてなる。
【００１７】
前述した底板１１は、本実施形態では矩形状であり、詳細には長方形であるが、これだけには限定されず他の形状でもよい。
【００１８】
前述した環状壁１２は、底板１１の頂面に突出成形され、底板１１の周縁に取り囲むように設けられている。本実施形態の環状壁１２は、上から見て、同様に延びて長方形に成形されるとともに、対向する２つの長側辺及び対向する２つの短側辺を有する。環状壁１２の先端縁には、２つの切欠溝群が凹設される。２つの切欠溝群は、環状壁１２の対向する２つの側辺にそれぞれ位置する。各切欠溝群は、２つの切欠溝１２１を含む。２つの切欠溝１２１は、環状壁１２の残部の対向する２つの側辺にそれぞれ隣接する。本実施形態の２つの切欠溝群は、環状壁１２の２つの長側辺にそれぞれ位置し、各切欠溝群の２つの切欠溝１２１は、環状壁１２の２つの短側辺にそれぞれ隣接する。各切欠溝１２１は、環状壁１２の内壁面及び外壁面まで延び、環状壁１２に水平に貫通して形成される。図３を参照する。図３に示すように、同一の切欠溝群の２つの切欠溝１２１Ａの延伸方向は、互いに平行である。切欠溝群の２つの切欠溝１２１Ａの延長線Ｌ上には、他方の切欠溝群の２つの切欠溝１２１Ｂが形成される。各切欠溝１２１Ａの延伸方向は、他方の切欠溝群の対応した切欠溝１２１Ｂの延伸方向と同じであり、位置が合わされる。
【００１９】
前述の環状凸縁１３は、底板１１の底面に突出成形され、環状に延びる。環状凸縁１３の環状に延びる形状は、底板１１の形状に対応するため、環状凸縁１３は同様に長方形である。環状凸縁１３の外径は、環状壁１２の内径に等しい。
【００２０】
図１及び図９を参照する。図１及び図９に示すように、前述した複数のリブ１４は、底板１１の頂面に突設されて環状壁１２内に位置する。複数のリブ１４は、間隔をおいて形成され、底板１１の頂面に略満遍なく分散される。本実施形態の各リブ１４の断面は半円形であるが、これだけに限定されるわけではなく、底板１１上に物体を載置する際、物体はリブ１４に触れても底板１１には触れず、底板１１上に物体が付着することを防ぐことができる。
【００２１】
図４を参照する。図４に示すように、本実施形態の収納箱１０を実際に使用する際、底面に設けられた環状凸縁２１を組み合わせ、一般の筐体２０又は他方の収納箱１０を組み合わせて使用することができる。本実施形態が組み合わせる筐体２０は正方形であり、正方形の面積は長方形である本考案の２倍である。或いは、底面に設けられた環状凸縁２１の一般の筐体２０の底部に、本考案の収納箱１０を３つ組み合わせて使用してもよく、筐体２０の面積は収納箱１０の３倍である。本実施形態の収納箱１０により形成される形状は長方形のみに限定されず、一般の筐体２０の形状は正方形のみには限定されず、収納箱１０の環状壁１２上に切欠溝１２１が形成されてもよい。切欠溝１２１は、一般の筐体２０に環状凸縁２１に対応する。収納箱１０は、異なる寸法を有する矩形状であり、それに対応する一般の筐体２０は同様に異なる寸法を有する矩形状であり、その収納箱１０と一般の筐体２０又は他方の収納箱１０とを互いに積み重ねたり左右に配列したりするとき、多様で互いに積み重ねることができるため融通性が高く、異なる個数と、異なる寸法とを有する筐体を積み重ねることができる。
【００２２】
図４〜図６を参照する。図４〜図６に示すように、本考案の一実施形態に係る収納箱１０を組み合わせる筐体２０下に積み重ねると、組み合わせる筐体２０の底面に設けられた環状凸縁２１が、収納箱１０の環状壁１２の１つの長側辺及び２つの短側辺に当接され、環状壁１２に当接されない他方の長側辺上の２つの切欠溝１２１に挿入されて係合されるため、組み合わされる筐体２０が収納箱１０上に安定的に載置されるとともに、環状壁１２が有する高さにより、組み合わせた筐体２０の底面が収納箱１０中の物体に触れることを防ぐことができる。
【００２３】
また、上述の使用状態では、切欠溝群が用いられるが、対向する２つの側辺に切欠溝群がそれぞれ形成されているため、収納箱１０を水平に１８０度回転させても、他方の切欠溝群を介して同様に係合させて固定させる効果を得ることができるため、使い易い。
【００２４】
図７〜図９を参照する。図７〜図９に示すように、組み合わせる筐体２０上に収納箱１０を積み重ねると、収納箱１０下の環状凸縁１３が組み合わされた筐体２０の開口周縁に当接されるため、同様に両者が結合される安定性を高めることができる。
【００２５】
また、収納箱１０は、同じ寸法を有する筐体２０上に積み重ねることができるため、環状凸縁１３全体を筐体２０の開口周縁に完全に当接すると、結合の安定性を高めることができる。
【００２６】
本考案は、複数の筐体を積み重ね易く、積み重ねた筐体を室内又は室外で持って移動させるときでも、その構造により筐体が滑落することを防ぎ、異なる空間環境下でも持ち易いため、作業効率が高い上、複数の筐体を所望の箇所に設置した後でも積み重ねた状態を保持することができるため、使用空間が小さい。また、本考案の切欠溝群の２つの切欠溝を利用することにより、異なる寸法を有する矩形筐体を互いに上下に積み重ねたり左右に配列したりすることができるため、融通性が高くて多種多様な形態にすることができる長所を有する上、異なる寸法を有する複数の矩形筐体を積み重ねたり左右に配列したりすることができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０  収納箱
１１  底板
１２  環状壁
１３  環状凸縁
１４  リブ
２０  筐体
２１  環状凸縁
１２１  切欠溝
１２１Ａ  切欠溝
１２１Ｂ  切欠溝
Ｌ  延長線
【図１】
0003208800.tif 000003
【図２】
0003208800.tif 000004
【図３】
0003208800.tif 000005
【図４】
0003208800.tif 000006
【図５】
0003208800.tif 000007
【図６】
0003208800.tif 000008
【図７】
0003208800.tif 000009
【図８】
0003208800.tif 000010
【図９】
0003208800.tif 000011